(57)【要約】【課題】簡易トイレを快適に使用することのできる汚物処理袋を提供すること、及び該汚物処理袋を容易に製造することができる製造方法とを提供することを課題とする。【解決手段】汚物処理袋１は、ポリエチレンを素材として形成された袋体２と、該袋体の内面に配設されると共に袋体２と相互に一体とされた透水性シート３と、袋体２及び透水性シート３の間に底部４にて折返された状態で介在された吸水材５とを具備して形成されている。そして、係る汚物処理袋１は、ポリエチレンを素材とする袋体シート１０、吸水材５、及び透水性シート３を重ねあわせる積層工程と、これらを吸水材を５含む位置で折返す折返し工程と、折返された袋体シート１０、及び透水性シート３を幅方向両側１１において相互に接着する接着工程とによって製造される。【選択図】        図１
2005323935.tif 000002
【特許請求の範囲】
【請求項１】
簡易トイレに装着して使用され、汚物を内部に収容する汚物処理袋であって、
防水性を有する素材によって形成された袋体と、
該袋体の内面に配設されると共に前記袋体と相互に一体とされた透水性シートと、
前記袋体及び前記透水性シートの間に底部にて折返された状態で介在された吸水材と
を具備することを特徴とする汚物処理袋。
【請求項２】
前記袋体は、開口部から底部に向かって形成された切込部を具備することを特徴とする請求項１に記載の汚物処理袋。
【請求項３】
前記透水性シートは、前記袋体の内面における前記切込部が形成された領域に渡って配設されていることを特徴とする請求項２に記載の汚物処理袋。
【請求項４】
防水性を有する素材によって形成され、袋体を構成する袋体シート、該袋体シートより小さく形成された吸水材、及び前記袋体シートと略同形状に形成された透水性シートを重ね合わせる積層工程と、
前記袋体シート、前記透水性シート、及び前記吸水材を、吸水材を含む位置で折返す折返し工程と、
折返された前記袋体シートを幅方向両側において相互に接着する接着工程と
を具備することを特徴とする汚物処理袋の製造方法。
【発明の詳細な説明】
【技術分野】
【０００１】
本発明は、汚物処理袋及びその製造方法に関するものであり、詳しくは、簡易トイレに装着して使用する汚物処理袋及びその製造方法に関するものである。
【背景技術】
【０００２】
従来、病人の介護や育児等に際して、持ち運び可能な簡易トイレ（所謂「ポータブルトイレ」）が使用されている。
【０００３】
そして、係る簡易トイレに装着する汚物処理袋として、図５（ｂ）に示すように、内部に汚物を収容する袋体１０１と、袋体１０１の底部に配設され、汚物に含まれる液体成分を吸収して内部に保持する吸水材１０２とを具備する汚物処理袋１００が使用されている。
【０００４】
さらに詳しく説明すると、袋体１０１は、汚物に含まれる液体成分が漏出することを防止するために、ポリプロピレン、ポリ塩化ビニル、又はポリエチレン等の防水性を有する素材によって形成されている。また、吸水材１０２は、例えば、吸収ポリマーとパルプからなる吸水性シートを不織布によって被覆したものや、綿材、又は不織布を複数枚積層させたもの等によって形成されている。
【０００５】
係る汚物処理袋を装着した簡易トイレを使用することによって、汚物は袋体１０１内に収容され、汚物に含まれる液体成分は吸水材１０２に吸収される。ここで、吸水材１０２が袋体１０１の底部に固定されており、液体成分が良好に吸収される。
【０００６】
従来の汚物処理袋１００の製造方法としては、例えば、以下に示すような製造方法が挙げられる。まず、吸水材１０２を二つ折りにした状態で袋体１０１に挿入する（図５（ａ）参照）。次に、挿入した吸水材１０２を、袋体１０１の底部の所定の場所に位置決めした状態で、吸水材１０２を袋体１０１に接着して固定する（図５（ｂ）における斜線部分）。これによって、汚物処理袋１００を製造する。
【０００７】
【特許文献１】特開２０００−２４５６５４号公報
【発明の開示】
【発明が解決しようとする課題】
【０００８】
しかしながら、この汚物処理袋１００は、上述のように袋体１０１が防水性の素材によって形成されるため、汚物処理袋１００を装着した簡易トイレでは、小用時に尿の飛散や雑音が生じるため、簡易トイレを快適に使用することができなかった。
【０００９】
また、前述の製造方法は、吸水材１０２を、二つ折りにした上で袋体１０１に挿入する作業、及び吸水材１０２を袋体１０１の内部で位置決めしつつ袋体１０１に対して固定する作業が必要であり、煩雑であった。
【００１０】
そこで、本発明は、上記実情に鑑み、簡易トイレを快適に使用することのできる汚物処理袋を提供すること、及び該汚物処理袋を容易に製造することができる製造方法を提供することを課題とする。
【課題を解決するための手段】
【００１１】
上記の課題を解決するために本発明の採った主要な手段は、まず、汚物処理袋としては、
「簡易トイレに装着して使用され、汚物を内部に収容する汚物処理袋であって、
防水性を有する素材によって形成された袋体と、
該袋体の内面に配設されると共に前記袋体と相互に一体とされた透水性シートと、
前記袋体及び前記透水性シートの間に底部にて折返された状態で介在された吸水材と
を具備することを特徴とする汚物処理袋」
である。
【００１２】
ここで、透水性シートとは、例えば、織布や不織布を含む布材、及び紙材等を素材としたものが挙げられる。これらは、上述の液体成分を透過可能である。
【００１３】
そして、上記構成の汚物処理袋では、袋体の内面に透水性シートが配設されているため、汚物が袋体に直接当たらず、小用時に生じる雑音や尿の飛散が緩衝される。よって、簡易トイレを快適に使用することができる。
【００１４】
さらに、上記構成の汚物処理袋では、吸水材は、袋体及び透水性シートの間に底部にて折返された状態で介在されているため、係る吸水材の袋体に対する開口部方向への移動が制限される。このため、前述のような従来の汚物処理袋１００のように、吸水材を袋体に接着する必要はなくなり、製造に際して係る作業を省略することが可能となる。よって、吸水材を袋体に接着する作業を省略することで、汚物処理袋を容易に製造することができる。なお、吸水材の袋体に対する幅方向への移動を制限するためには、吸水材を袋体の内面の幅寸法に近い幅寸法に形成することが好適である。
【００１５】
上述した手段において、
「前記袋体は、開口部から底部に向かって形成された切込部を具備することを特徴とする汚物処理袋」
としてもよい。
【００１６】
汚物処理袋を簡易トイレに装着する際には、汚物処理袋の開口部を外側に折返し、折返した部分を簡易トイレの便座に被せる必要がある。このとき、上記構成の汚物処理袋では、袋体の開口部に切込部が形成されているため、開口部を外側に折返す際に、開口部を開けやすく、折返しやすい。よって、簡易トイレに、容易に装着することができる。
【００１７】
上述した手段において、
「前記透水性シートは、前記袋体の内面における前記切込部が形成された領域に渡って配設されていることを特徴とする汚物処理袋」
としてもよい。
【００１８】
ここで、防水性を有する素材によって形成された袋体は表面が滑らかである。このため、外袋体の開口部を折返す際に、開口部付近を挟持した手指が滑り、折返しにくくなるおそれがある。
【００１９】
これに対して、上記構成の汚物処理袋では、袋体の開口部を外側に折返す際に、切込部周辺に配設された透水性シートが存在する部分を挟持して折返すことができる。ここで、透水性シートは、水分を透過させる孔を有するものであり、当然、防水性シートより摩擦抵抗が大きいため、手指が滑ることなく開口部を外側に折返すことが可能である。よって、簡易トイレにより容易に装着することができる。
【００２０】
次に、製造方法としては、
「防水性を有する素材によって形成され、袋体を構成する袋体シート、該袋体シートより小さく形成された吸水材、及び前記袋体シートと略同形状に形成された透水性シートを重ね合わせる積層工程と、
前記袋体シート、前記透水性シート、及び前記吸水材を、吸水材を含む位置で折返す折返し工程と、
折返された前記袋体シートを幅方向両側において相互に接着する接着工程と
を具備することを特徴とする汚物処理袋の製造方法」
である。
【００２１】
この製造方法では、袋体シート、吸水材、及び透水性シートを重ね合わせた状態で、吸水材を含む位置にて折返す。そして、折返された袋体シートを幅方向両側において相互に接着することによって汚物処理袋が製造される。
【００２２】
このような製造方法によれば、吸水材を二つ折りにした上で袋体に挿入する作業、及び吸水材を袋体の内部で位置決めしつつ袋体に対して固定する作業を要しない。よって、上述の汚物処理袋を、容易に製造することができる。
【発明の効果】
【００２３】
上述の通り、本発明によれば、簡易トイレを快適に使用することのできる汚物処理袋、及び該汚物処理袋を容易に製造することができる製造方法を提供することができる。
【発明を実施するための最良の形態】
【００２４】
以下に、本発明に係る汚物処理袋１の実施形態の一例を、図面に基づいて詳細に説明する。図１は本発明の汚物処理袋１の構成を示す説明図であり、図２は汚物処理袋１の構成を示す図１におけるａ−ａ断面図である。
【００２５】
汚物処理袋１は、簡易トイレに装着して使用され、内部に汚物を収容するものであって、図１及び図２に示すように、袋体２と、袋体２の内面に配設され、相互に一体とされた透水性シート３と、袋体２及び透水性シート３の間に底部４にて折返された状態で介在された吸水材５と、から主に構成されている。そして、袋体２には、開口部６から底部４に向かって切込部８が形成されている。
【００２６】
さらに詳しく説明すると、袋体２は、汚物に含まれる液体成分が漏出することを防止するために、ポリエチレンを素材として形成されている。また、透水性シート３は、上述の液体成分を透過させる不織布を素材として、袋体２の内面形状と略同一に形成されている。そして、吸水材５は、液体成分を吸収して内部に保持するために、吸収ポリマーとパルプからなる吸水性シートを不織布によって被覆したものによって、袋体シート１０より小さく形成されている。なお、袋体２の素材として、ポリエチレンの他にポリプロピレン、ポリスチレン、及びポリ塩化ビニル等の熱可塑性の合成樹脂を用いることができる。また、透水性シート３の素材として、不織布の他に、織布、編布、又は紙材等を用いることができる。さらに、吸水材５の素材として、複数枚の不織布を積層してなる吸水布、又は綿材等を用いることができる。なお、ここで、袋体２の大きさは限定しないが、簡易トイレの便座の外径より大きい開口部６を有することが望ましい。
【００２７】
また、汚物処理袋１を装着する簡易トイレとしては、一般的な形状を有するものであり、使用者が座るための便座と、該便座の下部に設けられ、便座の開口部に連通する空間を内部に有する便器とを主に具備するものが該当する。なお、便座の開口部とは、簡易トイレを上方から見た状態における開口部である。
【００２８】
次に、汚物処理袋１を簡易トイレに装着する手順について説明する。まず、袋体２の底部４を便座の開口部から挿入して便器の内部に入れる。次に、袋体２の、切込部８が形成された領域を手指で挟持し、開口部６を外方向（図１矢印Ａ）に折返す。このとき、袋体２に一対の切込部８が形成されていることによって、開口部６は広げやすい。また、袋体２の内面に配設された透水性シート３により、袋体２を挟持した手指が滑ることを防止するため、より容易に開口部６を折返すことができる。最後に、開口部６の折返した部分を便座に被せる。これにより、汚物処理袋１は簡易トイレに装着される。ここで、簡易トイレの便座の形状は、主にＵ字状又はＯ字状に大別される。そして、本実施形態の汚物処理袋１は、Ｕ字状の便座に対しては、装着状態を確実なものにするために、開口部６の折返した部分が簡易トイレに対して左右に位置するように装着することが好適である。また、Ｏ字状の便座の場合には、特に限定されないが、小用時に尿が直接吸水材５に当たるように、使用者に対して吸水材５が正面に位置するように装着することが好適である。これによって、尿がより良好に吸収される。
【００２９】
簡易トイレに装着した汚物処理袋１は袋体２の内面に透水性シート３が配設されているため、汚物が袋体２に直接当たらず、小用時に生じる雑音や尿の飛散が緩衝される。その結果、簡易トイレを快適に使用することができる。また、本実施形態では、袋体２の内面の全面に渡って透水性シート３が配設されているため、袋体２の開口部６を折返して便座に被せることで、簡易トイレの使用時には、透水性シート３と肌とが接触することになる。したがって、従来の汚物処理袋１００では、防水性を有する素材によって形成された袋体１０１が簡易トイレの便座を被覆するため、使用時には袋体１０１と肌とが接触することになり、冷たさを感じたり、袋体１０１が肌にまとわりつく等して快適に使用することができなかったが、本実施形態の汚物処理袋１では、上述の肌へのまとわりつき等が軽減され、簡易トイレを、より一層快適に使用することができる。
【００３０】
また、本実施形態の汚物処理袋１の場合、図１に示すように、切込部８が開口部６の互いに対向する箇所に形成されていることによって、袋体２の開口部６付近の領域２ａ，２ｂは二枚のシート状に分離されるため、係る領域２ａ，２ｂを便座の対向する位置にそれぞれ被せることによって汚物処理袋１は簡易トイレに装着される。
【００３１】
次に、本実施形態の汚物処理袋１の製造方法について、主に図３に基づいて説明する。ここで、図３は、汚物処理袋１の製造方法を示すフローチャートである。
【００３２】
始めに、ポリエチレンを素材とする袋体シート１０、吸水材５、及び透水性シート３を重ね合わせる（積層工程Ｓ１）。このとき、袋体シート１０及び透水性シート３が略同一の形状を有しており、吸水材５は、袋体シート１０より小さい形状を有している。そのため、吸水材５は、袋体シート１０及び透水性シート３からはみ出すことなく間に介在される。なお、このとき、袋体シート１０及び透水性シート３の互いに接触する面を接着剤等によって接着してもよい。これによって、袋体シート１０及び透水性シート３の間に介在する吸水材５の介在状態が保持されるため好適である。
【００３３】
そして、積層工程Ｓ１において積層された袋体シート１０、透水性シート３、及び吸水材５を、吸水材を５含む位置で折返す（折返し工程Ｓ２）。このとき、吸水材５は袋体シート１０及び透水性シート３と共に折返されるため、吸水材５の、袋体シート１０及び透水性シート３に対する開口部方向への移動が制限される。よって、吸水材５を袋体シート１０又は透水性シート３に接着することなく位置の固定がなされる。
【００３４】
その後、折返し工程Ｓ２によって折返された袋体シート１０、及び透水性シート３を幅方向両側１１において相互に接着する（接着工程Ｓ３）。ここで、具体的な接着方法としては、熱圧着によって接着する方法、又は接着剤によって接着する方法が挙げられる。このとき、折返された袋体シート１０は、接着部１３によって接着されることにより、折返し工程によって折返された辺を底部４とする袋体２が形成される。また、透水性シート３は、表裏の袋体シート１０の間に挟まれて接着されることにより、袋体２と相互に一体とされる。このとき、図１に示すように、袋体２の底部４から開口部６までの全てでなく、吸水材５が介在される領域までの接着部１３を設けることによって、接着部１３以外の残余部分によって切込部８が形成される。
【００３５】
この製造方法では、袋体シート１０、吸水材５、及び透水性シート３を積層させた上で、吸水材を５含む位置で折返すことによって袋体シート１０及び透水性シート３の間に介在する吸水材５が、折返し位置に固定される。よって、従来の汚物処理袋１００の製造方法における、吸水材１０２を二つ折りにした上で袋体１０１に挿入する作業、及び吸水材１０２を袋体１０１の内部で位置決めしつつ袋体１０１に対して固定する作業が不要となる。したがって、汚物処理袋１を容易に製造することができる。
【００３６】
以上、本発明に係る一例を説明したが、本発明はこれに限らず、本発明の要旨を逸脱しない範囲で、種々の変更が可能である。
【００３７】
すなわち、本実施形態の汚物処理袋１において、吸水材５は、袋体２及び透水性シート３の間であって、底部４から切込部８の端部に渡って介在されるものを示したが、これに限定されるものではない。例えば、製造コストの削減を図る場合には、図４に示すように、袋体２の一方の面（図４の紙面右方側）においては切込部８の端部に渡って吸水材が介在され、他方の面（図４の紙面左方側）においては、底部及び切込部８の端部の中ほどに渡って吸水材が介在されるものであっても構わない。ここで、図４は、本発明の汚物処理袋の別の例を示す断面図である。このような汚物処理袋であっても、切込部８の端部に渡って吸水材が介在される面が使用者に対して正面に位置するように装着することによって、本実施形態の汚物処理袋１と同様の効果を奏することができる。また、より大幅な製造コストの削減を図る場合には、吸水材が、袋体の底部付近にのみ介在されるものであっても構わない。
【００３８】
また、本実施形態において、二つの切込部８が形成されるものを示したが、これに限定されるものではなく、開口部６から底部４に向かって一つ以上の切込部が設けられているものであれば構わない。この場合でも、開口部６を外側に折返す際に、開口部６を開けやすく、折返しやすくなる。よって、汚物処理袋を、簡易トイレに容易に装着することができる。
【００３９】
さらに、接着工程Ｓ３において、袋体２の底部４から吸水材５が介在される領域まで接着することによって切込部８が形成されるものを示したが、これに限定されるものではなく、例えば、袋体２の幅方向両側１１の間の対向する箇所に二つの切込部が形成されるものであっても構わない。この場合にも、本実施形態の汚物処理袋１のように、袋体の開口部付近は二枚のシート状に分離される。そして、係る切込部が形成された汚物処理袋を、開口部の折返した部分が簡易トイレに対して左右に位置するように装着することによって、使用者に対して吸水材が正面に位置するようになる。したがって、Ｕ字状の便座を有する簡易トイレにおいても、尿がより良好に吸収される。よって、簡易トイレを快適に使用することができる。
【図面の簡単な説明】
【００４０】
【図１】本実施形態の汚物処理袋の構成を示す説明図である。
【図２】汚物処理袋の構成を示すａ−ａ断面図である。
【図３】汚物処理袋の製造方法を示すフローチャートである。
【図４】本発明に係る汚物処理袋の別の例を示す断面図である。
【図５】従来の汚物処理袋を説明する説明図である。
【符号の説明】
【００４１】
１  汚物処理袋
２  袋体
３  透水性シート
４  底部
５  吸水材
６  開口部
８  切込部
１０  袋体シート
１３  接着部
１００  汚物処理袋
１０１  袋体
１０２  吸水材
Ｓ１  積層工程
Ｓ２  折返し工程
Ｓ３  接着工程
【図１】
2005323935.tif 000003
【図２】
2005323935.tif 000004
【図３】
2005323935.tif 000005
【図４】
2005323935.tif 000006
【図５】
2005323935.tif 000007